(57)【特許請求の範囲】
【請求項１】
報知開始指示を受信できる携帯電話機に報知開始指示を送信するサーバ装置と共に用いられる携帯電話機であって、
サーバ装置から報知開始指示を受信する受信手段と、
前記報知開始指示に基づき、同じ基地局ＩＤのサービスエリア内において前記報知開始指示を受信可能な他の携帯電話機の報知と連携する報知を行う報知手段とを備え、
前記サーバ装置は、
少なくとも１の携帯電話機に第１の値を示す報知開始指示を送信し、その他の携帯電話機には前記第１の値とは異なる第２の値を示す報知開始指示を送信し、
前記報知手段は、前記報知開始指示が第１の値を示す場合には、当該報知開始指示を受け取って所定時間経過後から第１時間報知し、その後第２時間報知を停止し、前記報知開始指示が第２の値を示す場合には前記報知開始指示を受け取って前記所定時間経過後から前記第１時間報知せず、その後第２時間報知する
ことを特徴とする携帯電話機。
【請求項２】
前記報知手段は、
動作指示を受け付けた場合に振動する振動部と、
動作指示を受け付けた場合に発音する発音部とを備える
ことを特徴とする請求項１に記載の携帯電話機。
【請求項３】
前記振動部は、停止指示を受け付けると振動を停止し、
前記携帯電話機は、さらに、発音指示を受け付ける受付手段を備え、
前記報知手段は、前記振動部が振動している場合に前記発音指示を受信すると、前記振動部に停止指示を送信し、前記発音部に動作指示を送信する
ことを特徴とする請求項２に記載の携帯電話機。
【請求項４】
前記報知手段は、所定時間毎の報知タイミングのうち、前記報知開始指示を受け付けた直後の報知タイミングにおいて報知を開始する
ことを特徴とする請求項１に記載の携帯電話機。
【請求項５】
前記報知手段は、前記報知を行う場合に、複数のフレーズから成る着信音を、フレーズの再生終了毎に切り替えて再生する
ことを特徴とする請求項１に記載の携帯電話機。
【請求項６】
サーバ装置と、複数の携帯電話機とからなる近接報知システムであって、
前記サーバ装置は、同じ基地局ＩＤのサービスエリア内において前記報知開始指示を受信可能な携帯電話機に報知開始指示を送信し、
各携帯電話機は、
前記サーバ装置から報知開始指示を受信する受信手段と、
前記報知開始指示に基づき、同じ基地局ＩＤのサービスエリア内において前記報知開始指示を受信可能な他の携帯電話機の報知と連携する報知を行う報知手段とを含み、
前記サーバ装置は、前記各携帯電話機のうち少なくとも１の携帯電話機に第１の値を示す報知開始指示を送信し、前記各携帯電話機のうち前記１の携帯電話機とは異なるその他の携帯電話機には前記第１の値とは異なる第２の値を示す報知開始指示を送信し、
前記報知手段は、前記報知開始指示が第１の値を示す場合には、当該報知開始指示を受け取って所定時間経過後から第１時間報知し、その後第２時間報知を停止し、前記報知開始指示が第２の値を示す場合には前記報知開始指示を受け取って前記所定時間経過後から前記第１時間報知せず、その後第２時間報知する
ことを特徴とする近接報知システム。
【発明の詳細な説明】
【技術分野】
【０００１】
本発明は、携帯電話機に関し、特に、待ち合わせ条件を満たす携帯電話機の近接報知に関する。
【背景技術】
【０００２】
携帯電話機は、相手と待ち合わせをする場合に利用されることが多いことから、携帯電話機に係る待ち合わせに便利な機能についての開発が進められている。
例えば、特許文献１には、利用者が、待ち合わせを希望する相手を予め登録しておき、待ち合わせ相手の携帯電話機の位置を基地局装置が定期的に監視し、前記相手の携帯電話機が、前記利用者の携帯電話機と同一の基地局のサービスエリアに入った場合に、その旨を前記利用者と前記相手の携帯電話機に通知する技術が開示されている。
【特許文献１】特開２００２−３５４５４１号公報
【発明の開示】
【発明が解決しようとする課題】
【０００３】
しかしながら、前記サービスエリア内にいる人の多数が携帯電話機を持ち、着信音による報知が頻繁に生じる場合を想定すると、このような想定下では、前記利用者は、待ち合わせ相手の携帯電話機による報知と、その他の携帯電話機による報知とが区別できないので、前記利用者が待ち合わせを希望する相手に対する面識がないと、前記相手に容易に出会えない場合があるという問題が生じる。
【０００４】
上記問題に鑑み、本発明は、利用者が、面識の無い相手と待ち合わせをする場合であっても、容易に相手に出会うことができる報知を行う携帯電話機を提供することを目的とする。
【課題を解決するための手段】
【０００５】
上記課題を解決するために、本発明は、所定の携帯電話機に報知開始指示を送信するサーバ装置と共に用いられる携帯電話機であって、サーバ装置から報知開始指示を受信する受信手段と、前記報知開始指示に基づき、他の携帯電話機の報知と連携する報知を行う報知手段とを備える。
【発明の効果】
【０００６】
本発明の携帯電話機は、上述の構成を備えることにより、前記条件を満たし前記報知開始指示を前記サーバ装置から受信すると、前記条件を満たしていない携帯電話機による報知と容易に区別できる報知を行うことができる。よって、本発明の携帯電話機を所持する複数の利用者同士が、お互いに面識が無い場合であっても、容易に待ち合わせ相手に出会うことができる。
【発明を実施するための最良の形態】
【０００７】
本発明の一実施形態に係る近接報知システム１は、図１に示すように待ち合わせ制御サーバ２と、位置登録サーバ３と、ネットワーク４と、基地局１１〜１２と、携帯電話機２１〜２３とを含んで構成され、携帯電話機２１〜２３と基地局１１〜１２とは無線通信により通信し、基地局１１〜１２と位置登録サーバ２とはネットワーク４を介して通信し、待ち合わせ制御サーバ２と位置登録サーバ３とは専用線を介して通信する。
【０００８】
待ち合わせ制御サーバ２は、携帯電話機の利用者が待ち合わせを希望する相手の条件を登録しておき、前記条件にマッチする相手がいた場合に、前記携帯電話機と、前記相手の携帯電話機とに通知するサーバである。
位置登録サーバ３は、基地局と、待ち受けしている携帯電話機の対応を管理するサーバである。
【０００９】
基地局１１、１２は、携帯電話機から接続され、携帯電話機が行う通信を仲介する基地局装置である。
携帯電話機２１〜２３は、同じ内部構成を備える携帯電話機であり、携帯電話機２１は、待ち合わせを希望する条件を設定する利用者が所持し、携帯電話機２２、２３は、他の利用者が所持しているものとする。
【００１０】
近接報知システム１によれば、携帯電話機（例えば携帯電話機２１）と、当該携帯電話機の利用者が待ち合わせを希望する相手の携帯電話機（例えば携帯電話機２２）とが、同じ基地局のサービスエリアに入った場合に、前記エリア内の携帯電話機２１及び２２以外の携帯電話機による報知とは区別できる報知を行うことにより、前記利用者と前記相手とが面識のない場合でも、相手を特定することができる。
【００１１】
以下、本発明の実施形態について、詳細に説明する。
＜構成＞
＜待ち合わせ制御サーバ２＞
待ち合わせ制御サーバ２は、一例として図８に示すように、通信部４０１、制御部４０２、記憶部４０３及び判定部４０４とを含んで構成される。
【００１２】
待ち合わせ制御サーバ２は、具体的には、マイクロプロセッサ、ＲＯＭ、ＲＡＭ、ハードディスクユニット、ディスプレイユニット、キーボード、マウスなどから構成されるコンピュータシステムである。前記ＲＡＭ又は前記ハードディスクユニットには、コンピュータプログラムが記憶されている。前記マイクロプロセッサが、前記コンピュータプログラムに従って動作することにより、待ち合わせ制御サーバ２は、その機能を達成する。
【００１３】
通信部４０１は、前記専用線を介して、位置登録サーバ３と通信し、位置登録サーバ３を介して、他の装置とデータ通信を行う。
記憶部４０３は、ハードディスクユニットを含んで構成され、一例として図９に示す、待ち合わせ条件テーブルを記憶する。
待ち合わせ条件テーブルは、端末ＩＤと、自年齢情報と、自趣味情報と、相手年齢情報と、相手趣味情報と、基地局ＩＤとからなる待ち合わせ条件エントリを１以上含む。
【００１４】
待ち合わせ条件エントリは、待ち合わせ条件を設定する利用者によって、携帯電話機を用いて設定される。
端末ＩＤは、携帯電話機を識別する識別情報である。
自年齢情報は、前記利用者が設定した当該利用者の年齢を含む範囲を示す情報である。
相手年齢情報は、前記利用者が設定した、当該利用者が待ち合わせを希望する相手の年齢を含む範囲を示す情報である。
【００１５】
前記自年齢情報及び相手年齢情報は、本実施形態では一例として、値が「１１」の場合、１６歳〜２０歳を示し、「１２」の場合、２１歳〜２５歳を示し、「１３」の場合、２６歳〜３０歳を示し、「１４」の場合には３１歳〜４０歳を示し、「１５」の場合には、４１歳以上を示すものとする。
自趣味情報は、前記利用者が設定した当該利用者の趣味のカテゴリを示す情報である。
【００１６】
相手趣味情報は、前記利用者が設定した、当該利用者が待ち合わせを希望する相手の趣味のカテゴリを示す情報である。
前記自趣味情報及び前記相手趣味情報は、本実施形態では一例として、値が「２１１」の場合には「野球」を示し、「２１２」の場合には「サッカー」を示し、「２１３」の場合には、ラグビーを示すものとし、また、値が「２２１」の場合には「恋愛」映画を示し、「２２２」の場合には「ＳＦ」映画を示し、「２２３」の場合には「ホラー」映画を示すものとする。
【００１７】
基地局ＩＤは、端末ＩＤで識別される携帯電話機が現在接続している基地局を識別する情報である。
例えば、待ち合わせ条件エントリ４３０は、値が「１３」であり２６〜３０歳を示す自年齢情報４３２と、値が「２２１」であり野球を示す自趣味情報４３３と、値が「１２」であり２１〜２５歳を示す相手年齢情報４３４と、値が「２２１」であり野球を示す相手趣味情報４３５と、値が「１」である基地局ＩＤ４３６とを含む。
【００１８】
制御部４０２は、通信部４０１を介して、位置登録サーバ３から、端末ＩＤ、自年齢情報、自趣味情報、相手年齢情報、相手趣味情報、基地局ＩＤを含む条件設定指示を受信した場合に、当該条件設定指示に含まれる端末ＩＤが、記憶部４０３に記憶されている待ち合わせ条件テーブルに含まれているか否かを判定する。
前記端末ＩＤが待ち合わせ条件テーブルに含まれていた場合、当該端末ＩＤを含む待ち合わせ条件エントリの端末ＩＤ、自年齢情報、自趣味情報、相手年齢情報、相手趣味情報、基地局ＩＤを、受信した条件設定指示に含まれる端末ＩＤ、自年齢情報、自趣味情報、相手年齢情報、相手趣味情報、基地局ＩＤで上書きし、上書きした端末ＩＤを、判定部４０４に送信する。
【００１９】
含まれていない場合、受信した当該条件設定指示に含まれる端末ＩＤ、自年齢情報、自趣味情報、相手年齢情報、相手趣味情報、基地局ＩＤを含む待ち合わせ条件エントリを新たに生成して記憶部４０３に記憶させ、当該端末ＩＤを、判定部４０４に送信する。
また、制御部４０２は、電源投入時又はハンドオーバー時に、通信部４０１を介して、位置登録サーバ３から端末ＩＤと、基地局ＩＤとを含む接続端末情報を受信し、当該接続端末情報に含まれる端末ＩＤが、記憶部４０３に記憶されている待ち合わせ条件テーブルに含まれているか否かを判定する。
【００２０】
含まれている場合、受信した接続端末情報に含まれる基地局ＩＤを、前記端末ＩＤを含む待ち合わせ条件エントリの基地局ＩＤに上書きし、受信した端末ＩＤを判定部４０４に送信し、含まれていない場合は、前記接続端末情報を破棄する。
次に、判定部４０４が行う判定処理について、図１０を用いて説明する。
判定部４０４は、制御部４０２から端末ＩＤを受信し（ステップＳ５１）、当該端末ＩＤと同値の端末ＩＤ（以下、自端末ＩＤという。）を含む待ち合わせ条件エントリ（以下、自待ち合わせ条件エントリという。）を待ち合わせ条件テーブルの中から読み出す（ステップＳ５２）。
【００２１】
待ち合わせ条件テーブル中に、自待ち合わせ条件エントリを除く、未判定の待ち合わせ条件エントリがあるか否かを判定し（ステップＳ５３）、未判定の待ち合わせ条件エントリがない場合（ステップＳ５３：ＮＯ）、処理を終了し、未判定の待ち合わせ条件エントリがある場合（ステップＳ５３：ＹＥＳ）、当該未判定の待ち合わせ条件エントリ（以下、相手待ち合わせ条件エントリという。）を読み出す（ステップＳ５４）。
【００２２】
自待ち合わせ条件エントリ中の基地局ＩＤと、相手待ち合わせ条件エントリ中の基地局ＩＤとが一致するか否かを判定し（ステップＳ５５）、一致しない場合（ステップＳ５５：ＮＯ）、ステップＳ５３に移行し、一致する場合（ステップＳ５５：ＹＥＳ）、ステップＳ５６に移行する。
次に、自待ち合わせ条件エントリ中の相手年齢情報と、相手待ち合わせ条件エントリ中の自年齢情報とが一致するか否かを判定し（ステップＳ５６）、一致しない場合（ステップＳ５６：ＮＯ）、ステップＳ５３に移行し、一致する場合（ステップＳ５６：ＹＥＳ）、ステップＳ５７に移行する。
【００２３】
次に、自待ち合わせ条件エントリ中の相手趣味情報と、相手待ち合わせ条件エントリ中の自趣味情報とが一致するか否かを判定し（ステップＳ５７）、一致しない場合（ステップＳ５７：ＮＯ）、ステップＳ５３に移行し、一致する場合（ステップＳ５７：ＹＥＳ）、ステップＳ５８に移行する。
次に、自待ち合わせ条件エントリ中の自年齢情報と、相手待ち合わせ条件エントリ中の相手年齢情報とが一致するか否かを判定し（ステップＳ５８）、一致しない場合（ステップＳ５８：ＮＯ）、ステップＳ５３に移行し、一致する場合（ステップＳ５８：ＹＥＳ）、ステップＳ５９に移行する。
【００２４】
次に、自待ち合わせ条件エントリ中の自趣味情報と、相手待ち合わせ条件エントリ中の相手趣味情報とが一致するか否かを判定し（ステップＳ５９）、一致しない場合（ステップＳ５９：ＮＯ）、ステップＳ５３に移行し、一致する場合（ステップＳ５９：ＹＥＳ）、判定部４０４は、通信部４０１を介して、自待ち合わせ条件エントリに含まれる端末ＩＤと、ＯＮを示すフラグ初期値とを含む相手検出通知を位置登録サーバ３に対し送信し（ステップＳ６０）、相手待ち合わせ条件エントリに含まれる端末ＩＤと、ＯＦＦを示すフラグ初期値とを含む相手検出通知を位置登録サーバ３に対し送信する（ステップＳ６１）。
＜位置登録サーバ３＞
位置登録サーバ３は、一例として図６に示すように、通信部３０１、制御部３０２、記憶部３０３とを含んで構成される。
【００２５】
位置登録サーバ３は、具体的には、マイクロプロセッサ、ＲＯＭ、ＲＡＭ、ハードディスクユニット、ディスプレイユニット、キーボード、マウス、ネットワークアダプタなどから構成されるコンピュータシステムである。前記ＲＡＭ又は前記ハードディスクユニットには、コンピュータプログラムが記憶されている。前記マイクロプロセッサが、前記コンピュータプログラムに従って動作することにより、位置登録サーバ３は、その機能を達成する。
【００２６】
通信部３０１は、ネットワークアダプタとその制御プログラムとを含んで構成され、専用線を介して待ち合わせ制御サーバ２と通信し、ネットワーク４を介して、その他の装置とデータ通信を行う。
記憶部３０３は、ハードディスクユニットを含んで構成され、一例として図７に示すように、接続基地局テーブルを記憶する。
【００２７】
接続基地局テーブルには、複数の接続基地局エントリが含まれており、接続基地局エントリは、端末ＩＤと、当該端末ＩＤで識別される携帯電話機が接続している基地局を示す基地局ＩＤとから成る。
例えば、接続基地局エントリ３５０は、値が「１」である基地局ＩＤ３５１と、値が「０５０−１２３−５５５５」である端末ＩＤ３５２とから成る。
【００２８】
制御部３０２は、通信部３０１を介して、基地局から、接続端末情報を受信する。
前記接続端末情報には、当該接続端末情報の送信元である基地局を識別する基地局ＩＤと、新たに前記基地局に接続された携帯電話機を識別する端末ＩＤとが含まれる。
制御部３０２は、前記接続基地局テーブルから、受信した接続端末情報に含まれる端末ＩＤを含む接続基地局エントリを検索し、当該接続基地局エントリがあった場合、当該接続基地局エントリに含まれる基地局ＩＤを、受信した接続端末情報に含まれる基地局ＩＤで上書きし、受信した接続端末情報に含まれる端末ＩＤと基地局ＩＤとを含む接続端末情報を、待ち合わせ制御サーバ２に送信する。
【００２９】
また、制御部３０２は、基地局から、通信部３０１を介して、端末ＩＤ、自年齢情報、相手年齢情報、自趣味情報、相手趣味情報、基地局ＩＤを含む条件設定指示を受信した場合、当該条件設定指示を、通信部３０１を介して待ち合わせサーバ２に送信する。
また、制御部３０２は、通信部３０１を介して、端末ＩＤを含む相手検出通知を受信した場合、当該端末ＩＤと同値の端末ＩＤを含む接続基地局エントリを記憶部３０３から読み出して、読み出した当該接続基地局エントリに含まれる基地局ＩＤで識別される基地局に対し、当該相手検出通知を送信する。
＜基地局１１、１２＞
基地局１１は、一例として図５に示すように、アンテナ２０１と、通信部２０２、制御部２０３、記憶部２０４と、通信部２０５とを含んで構成される。
【００３０】
基地局１１は、具体的には、マイクロプロセッサ、ＲＯＭ、ＲＡＭ、ハードディスクユニット、ディスプレイユニット、キーボード、マウス、ネットワークアダプタ、アンテナなどから構成されるコンピュータシステムである。前記ＲＡＭ又は前記ハードディスクユニットには、コンピュータプログラムが記憶されている。前記マイクロプロセッサが、前記コンピュータプログラムに従って動作することにより、基地局１１は、その機能を達成する。
【００３１】
無線部２０２は、アンテナ２０１を用いて、無線により携帯電話機と通信する。
通信部２０５は、ネットワークアダプタとその制御プログラムとを含んで構成され、ネットワーク４を介して、他の装置とデータ通信を行う。
記憶部２０４は、不揮発性のメモリであり、基地局ＩＤ２１１を記憶している。
基地局ＩＤは、基地局を識別する識別情報であり、基地局に１つ割り振られている。
【００３２】
また、記憶部２０４は、接続している携帯電話機を識別する端末ＩＤを記憶する。
制御部２０３は、無線部２０２が携帯電話機から位置登録要求を受信した場合に、当該携帯電話機から当該携帯電話機の端末ＩＤを受信し、受信した当該端末ＩＤと、記憶部２０４に記憶されている基地局ＩＤとを含む接続端末情報を、通信部２０５を介して、位置登録サーバ３に送信し、また、受信した当該端末ＩＤを記憶部２０４に記憶させる。
【００３３】
制御部２０３は、携帯電話機から無線部２０２を介して条件設定指示を受信した場合、当該条件設定指示を通信部２０５を介して位置登録サーバ３に送信する。
また、制御部２０３は、通信部２０５を介して、端末ＩＤを含む相手検出通知を受信した場合、当該相手検出通知を前記端末ＩＤにより示される携帯電話機に送信する。
なお、基地局１２は、基地局１１と、基地局ＩＤが異なる以外は同じ構成となるので、説明を省略する。
＜携帯電話機２１、２２、２３＞
携帯電話機２１は、一例として図２に示すように、アンテナ１０１と、無線部１０２と、ベースバンド部１０３と、音声処理部１０４と、マイクロフォン１０５と、スピーカ１０６と、操作部１０７と、記憶部１０８と、相手通知検出部１０９と、相手報知生成部１１０と、表示処理部１１１と、表示部１１２と、制御部１１３とを含んで構成される。
【００３４】
携帯電話機２１は、具体的には、マイクロプロセッサ、ＲＯＭ、ＲＡＭ、ディスプレイユニット、キーパッド、無線通信ユニット、アンテナから構成されるコンピュータシステムである。前記ＲＡＭには、コンピュータプログラムが記憶されている。前記マイクロプロセッサが、前記コンピュータプログラムに従って動作することにより、携帯電話機２１は、その機能を達成する。
【００３５】
無線部１０２は、アンテナ１０１を介して、基地局１１、１２と無線通信を行い、受信した信号をベースバンド部１０３、制御部１１３に送信する。
また、無線部１０２は、ベースバンド部１０３から信号を受信して、当該信号をアンテナ１０１を介して基地局に送信する。
ベースバンド部１０３は、無線部１０２から受信した信号から音声を示すベースバンド信号を復調し、復調結果であるベースバンド信号を、音声処理部１０４に送信する。
【００３６】
また、ベースバンド部１０３は、音声処理部１０４からベースバンド信号を受信して、当該ベースバンド信号を変調し無線部１０２に送信する。
マイクロフォン１０５は、通話時に、利用者が発する音声を集音して電気信号である通話信号に変換し、当該通話信号を音声処理部１０４に送信する。
スピーカ１０６は、音声処理部１０４が生成した音声信号を受信し、当該音声信号を音声に変換して拡声する。
【００３７】
音声処理部１０４は、ベースバンド部１０３からベースバンド信号を受信し、当該ベースバンド信号を音声信号に変換してスピーカ１０６に出力する。また、音声処理部１０４は、マイクロフォン１０５から、通話信号を受信し、当該通話信号をベースバンド信号に変換して、ベースバンド部１０３に送信する。
音声処理部１０４は、複数の着信音をメモリに記憶しており、相手報知生成部１１０から報知実行指示を受信すると、予め利用者により指定された着信音に係る音声信号を、スピーカ１０６に出力することにより、利用者に対する報知を行う。
【００３８】
また、音声処理部１０４は、相手報知生成部１１０から報知停止指示を受信すると、実行している報知を停止する。
操作部１０７は、通常の携帯電話機に備わっている、通話先の電話番号を入力するためのテンキーや、オンフックキー、オフフックキーなど通話を行うのに必要なキーを含むキーパッドと、キーの押下を検出し、押下されたキーに応じた指示を制御部１１３に対し送信するなどの制御回路を含んで構成される。前記指示には、自条件入力開始指示、相手条件入力開始指示、相手条件入力開始指示、カーソル移動指示、決定指示などがある。
【００３９】
記憶部１０８は、不揮発性メモリで構成されており、携帯電話機２１の製造時において、携帯電話機を識別する端末ＩＤが書き込まれている。ここで、前記端末ＩＤは、本実施形態では、電話番号とするが、他の識別情報でもよい。
記憶部１０８は、制御部１１３により書き込まれる、一例として図４に示すように、自年齢情報、相手年齢情報、自趣味情報、相手趣味情報、基地局ＩＤを保持する。
【００４０】
表示処理部１１１は、制御部１１３からの指示に従い、画面表示のための、赤出力信号、緑出力信号、青出力信号と、同期信号を生成して表示部１１２に出力する。
表示処理部１１１は、制御部１１３から、表示部１１２に表示すべき画面を示すパネル情報を受信し、当該パネル情報が示す画面に応じた赤色出力信号、緑色出力信号、青色出力信号と、水平、垂直の各同期信号を表示部１１２に出力することにより、表示部１１２に前記画面を表示させる。また、表示処理部１１１は、表示部１１２に対し、一般的な携帯電話機において表示されるような、電池残量、待ち受け画像、アンテナレベルを表示する画面に係る信号も出力する。
【００４１】
表示部１１２は、液晶ディスプレイであり、表示処理部１１１が出力する赤色出力信号、緑色出力信号、青色出力信号と、水平、垂直の各同期信号とを受け付けて、受け付けた信号に基づいて液晶ディスプレイに映像の表示を行う。
相手通知検出部１０９は、制御部１１３から、ＯＮ又はＯＦＦを示すフラグ初期値を含んだ相手検出通知を受信し、受信した相手検出通知を、相手報知生成部１１０に送信する。
【００４２】
相手報知生成部１１０は、時計及びタイマを備えており、相手通知検出部１０９から相手検出通知を受信し、待ち合わせ相手が検出されたことを所定のタイミングで報知するための報知制御を行う。前記報知制御について、図１１を用いて説明する。
相手報知生成部１１０は、相手通知検出部１０９から、相手検出通知を受信したか否かを判定し（ステップＳ１０１）、受信していない場合にはステップＳ１０１を繰り返し、受信した場合には、変数ｆｌａｇに、前記相手検出通知に含まれていたフラグ初期値を設定し、前記タイマによりカウントアップされるタイマ値に初期値「０」を設定する（ステップＳ１０２）。
【００４３】
ここで、前記タイマは、１ミリ秒毎に前記タイマ値を１ずつカウントアップするものとする。
相手報知生成部１１０は、前記相手検出通知の受信時刻から所定時間経過した時に前記タイマに対しカウントアップの開始を指示し、当該タイマは、カウントアップを開始する（ステップＳ１０３）。
【００４４】
相手報知生成部１１０は、タイマ値が所定の満了値以上であるか否かを判定する（ステップＳ１１０）。
ここで、前記満了値は、一例として３０００とする。
タイマ値が所定の満了値以上であった場合（ステップＳ１１０：ＹＥＳ）、ｆｌａｇがＯＮであれば（ステップＳ１１１：ＹＥＳ）、呼び出し音による報知実行指示を音声処理部１０４に通知し（ステップＳ１１２）、ｆｌａｇがＯＦＦであれば（ステップＳ１１１：ＮＯ）、報知停止指示を音声処理部１０４に通知する（ステップＳ１１３）。
【００４５】
相手報知生成部１１０は、利用者により操作部１０７を用いて指示される報知停止指示を制御部１１３から受信しているか否かを判定し、受信した場合（ステップＳ１１４：ＹＥＳ）には、報知停止指示を音声処理部１０４に通知し（ステップＳ１１５）して、処理を終了し、受信していない場合（ステップＳ１１４：ＮＯ）には、ステップＳ１１０に移行する。
【００４６】
また、ステップＳ１１０において、タイマ値が満了値以上であると判断した場合（ステップＳ１１０：ＹＥＳ）、ｆｌａｇがＯＮであれば（ステップＳ１２１：ＹＥＳ）、ｆｌａｇにＯＦＦを設定し（ステップＳ１２２）、ｆｌａｇがＯＦＦであれば（ステップＳ１２１：ＮＯ）、ｆｌａｇにＯＮを設定し（ステップＳ１２３）。続いてタイマ値に０を設定し（ステップＳ１２０）、ステップＳ１１０に移行する。
【００４７】
以上により、所定時刻を基点として、３秒間、携帯電話機２２の呼び出し音は鳴らずに、携帯電話機２１の呼び出し音が鳴り、次の３秒間は、携帯電話機２１の呼び出し音は鳴らずに、携帯電話機２２の呼び出し音が鳴り、以後、携帯電話機２１と携帯電話機２２の呼び出し音が交互に鳴るのを繰り返すこととなり、携帯電話機２１及び２２以外の呼び出し音とは区別することができるので、携帯電話機２１の利用者と、携帯電話機２２の利用者とが、お互い面識が無くても、会うことができる。
【００４８】
次に、携帯電話機２１の全体動作を制御する制御部１１３について説明する。
（１）基地局への接続制御
制御部１１３は、無線部１０２から基地局への接続通知を取得した場合、記憶部１０８から端末ＩＤを読み出して、接続した基地局に対し、当該端末ＩＤを無線部１０２を介して送信し、その応答として、当該基地局から無線部１０２を介して、当該基地局を示す基地局ＩＤを受信して、当該基地局ＩＤを記憶部１０８に記憶させる。
【００４９】
（２）制御部１１３によるパネル制御
制御部１１３は、利用者による、待ち合わせの条件入力を補助するためのメニュー画面を示すパネル情報を生成し、生成したパネル情報を表示処理部１１１に送信する。
階層構造となっているメニュー画面について、図３を用いて簡単に説明する。
制御部１１３は、操作部１０７から、自条件入力開始指示を受信した場合、図３に示すように、カーソル１３２が「１：年齢」という文字を囲うメニュー画面１３１を生成し、メニュー画面１３１を示すパネル情報を表示処理部１１１に送信する。メニュー画面１３１は、第１階層の画面である。
【００５０】
ここで、操作部１０７から、カーソル移動指示を受信した場合には、カーソル１３２が「２：趣味」という文字を囲うようメニュー画面を生成し、当該メニュー画面を示すパネル情報を表示処理部１１１に送信する。以上のように、利用者は、条件として年齢を選択するか、趣味を選択するかを、携帯電話機２１に対し指示する。
メニュー画面１３１において、「１：年齢」を囲ったカーソル１３２が表示されている場合に、操作部１０７から決定指示を受信すると、制御部１１３は、第２階層の画面であり年齢選択画面１３３を示すパネル情報を表示処理部１１１に送信する。
【００５１】
このとき、年齢選択画面１３３においては、１６歳から２０歳の範囲を示す「１１：１６〜２０」の文字がカーソル１３４により囲われている。
ここで、操作部１０７から決定指示を受信すると、制御部１１３は、自年齢情報として「１１」を記憶部１０８に保持し、カーソル移動指示を受信した場合には、カーソル１３４が「１２：２１〜２５」という文字を囲うようメニュー画面を生成し、当該メニュー画面を示すパネル情報を表示処理部１１１に送信する。
【００５２】
ここで、操作部１０７から決定指示を受信すると、制御部１１３は、自年齢情報として「１２」を記憶部１０８に保持する。
以上から、利用者は、自分の年齢を携帯電話機２１に入力する。
メニュー画面１３１において、「２：趣味」を囲ったカーソル１３２が表示されている場合に、操作部１０７から決定指示を受信すると、制御部１１３は、趣味選択画面１３５を示すパネル情報を表示処理部１１１に送信する。
【００５３】
このとき、趣味選択画面１３５においては、スポーツを示す「２１：スポーツ」の文字がカーソル１３６により囲われている。
メニュー画面１３５において、「２１：スポーツ」を囲ったカーソル１３５が表示されている場合に、操作部１０７から決定指示を受信すると、制御部１１３は、スポーツ選択画面１３７を示すパネル情報を表示処理部１１１に送信する。
【００５４】
このとき、スポーツ選択画面１３７においては、野球を示す「２１１：野球」の文字がカーソル１３８により囲われており、ここで、操作部１０７から決定指示を受信すると、制御部１１３は、自趣味情報として、野球を示す「２１１」を記憶部１０８に保持する。
同様に、趣味選択画面１３５において、「２２：映画」を囲ったカーソルが表示されている場合に、操作部１０７から決定指示を受信すると、制御部１１３は、映画選択画面１３９を示すパネル情報を表示処理部１１１に送信する。
【００５５】
このとき、映画選択画面１３９においては、恋愛映画を示す「２２１：恋愛」の文字がカーソル１４０により囲われており、ここで、操作部１０７から決定指示を受信すると、制御部１１３は、自趣味情報として、恋愛映画を示す「２１１」を記憶部１０８に保持する。
以上のように、利用者は、自分の趣味を携帯電話機２１に入力する。
【００５６】
以上、利用者が、携帯電話機２１の操作部１０７から、自分の年齢と、自分の趣味とを入力し、当該入力に基づき、制御部１１３が、自年齢情報、自趣味情報を、記憶部１０８に記憶させる処理について説明したが、相手年齢情報、相手趣味情報についても、同様の方法により、利用者が、操作部１０７から相手の年齢と相手の趣味とを入力し、当該入力に基づき、制御部１１３が、自年齢情報、自趣味情報を、記憶部１０８に記憶させることができる。
【００５７】
制御部１１３は、入力された、記憶部１０８に記憶されている端末ＩＤ、自年齢情報、相手年齢情報、自趣味情報、相手趣味情報と、記憶部１０８に記憶されている基地局ＩＤとを含む条件設定情報を、当該基地局ＩＤで示される基地局に対し、無線部１０２を介して送信する。
（３）制御部１１３による報知制御
制御部１１３は、無線部１０２を介して、相手検出通知を受信した場合、当該相手検出通知を、相手報知生成部１１０に送信する。
【００５８】
制御部１１３は、操作部１０７から、報知停止指示を受信した場合には、当該報知停止指示を相手報知生成部１１０に出力する。
＜動作＞
近接報知システム１の全体動作について、図１２を用いて説明する。
携帯電話機２１が基地局１１のサービスエリアに入ると、携帯電話機２１の無線部１０２と基地局１１の無線部２０２とが待ち受け登録を完了する（ステップＳ２０１）。
【００５９】
携帯電話機２１の制御部１１３は、記憶部１０８から端末ＩＤを読み出して、無線部１０２を介して、基地局１１に当該端末ＩＤを送信する（ステップＳ２０２）。
基地局１１において、制御部２０３が、無線部２０２を介して前記端末ＩＤを受信すると、記憶部２０４から基地局ＩＤを読み出して、当該基地局ＩＤと、前記端末ＩＤとを含む接続端末情報を、通信部２０５を介して、位置登録サーバ３に送信し（ステップＳ２０３）、基地局ＩＤを無線部２０２を介して携帯電話機２１に送信し（ステップＳ２０４）、当該端末ＩＤを記憶部２０４に記憶させる（ステップＳ２０５）。
【００６０】
携帯電話機２１の制御部１１３は、無線部１０２を介して前記基地局ＩＤを受信し、当該基地局ＩＤを記憶部１０８に記憶させる（ステップＳ２０６）。
位置登録サーバ３の制御部３０２は、通信部３０１を介して基地局１１から接続端末情報を受信すると、当該接続端末情報を記憶部３０３に記憶させるとともに（ステップＳ２０７）、当該接続端末情報を待ち合わせサーバ２に送信する（ステップＳ２０８）。
【００６１】
また、待ち受け状態で、携帯電話機２１の利用者が、上述したように、操作部１０７を用いて待ち合わせ条件の入力を行うと（ステップＳ２０９）、携帯電話機２１の制御部１１３は、待ち合わせ条件として入力された自年齢情報、相手年齢情報、自趣味情報、相手趣味情報と、記憶部１０８に記憶されている端末ＩＤと、基地局ＩＤとを含む条件設定情報を、当該基地局ＩＤで示される基地局に対し、無線部１０２を介して送信する（ステップＳ２１０）。
【００６２】
基地局１１は、受信した条件設定指示を位置登録サーバ３に送信し（ステップＳ２１１）、位置登録サーバ３は、受信した条件設定指示を待ち合わせサーバ２に送信する（ステップＳ２１２）。
待ち合わせサーバ２の制御部４０２は、通信部４０１を介して条件設定指示を受信し、既に説明したように、当該条件設定指示の内容が、記憶部４０３に、待ち合わせ条件エントリとして記憶されていない場合には、当該条件設定指示の内容を含む待ち合わせ条件エントリを生成して記憶部４０３に記憶させ、既に記憶されている場合には、当該待ち合わせ条件エントリの内容を、受信した当該条件設定指示の内容に基づき更新する（ステップＳ２１３）。
【００６３】
待ち合わせサーバ２において、制御部４０２は、ステップＳ２０８において受信する前記接続端末情報に含まれる端末ＩＤを判定部４０４に送信又はステップＳ２１２において受信する条件設定指示に含まれる端末ＩＤを判定部４０４に送信する。
待ち合わせサーバ２の判定部４０４は、制御部４０２から端末ＩＤを受信し、図１０を用いて既に説明した待ち合わせ条件の判定処理を行う（ステップＳ２１４）。
【００６４】
図１２中のステップＳ２１６は、図１０中のステップＳ６０に相当する処理であり、判定部４０４は、通信部４０１を介して、ＯＮと設定されたフラグ初期値を含む相手検出通知を、位置登録サーバ３に送信する（ステップＳ２１６）。
位置登録サーバ３の制御部３０２は、受信した相手検出通知中の端末ＩＤに対応する基地局ＩＤを記憶部３０３から読み出して、当該基地局ＩＤに対応する基地局に対し、通信部３０１を介して当該相手検出通知を送信し（ステップＳ２１７）、当該相手検出通知を受信した基地局は、受信した相手検出通知に含まれる端末ＩＤで識別される携帯電話機に対し、当該相手検出通知を送信する（ステップＳ２１８）。
【００６５】
携帯電話機２１の制御部１１３は、無線部１０２を介して前記相手検出通知を受信し、受信した相手検出通知を相手通知検出部１０９に送信し、相手通知検出部１０９は、図１１を用いて既に説明した報知処理を行う（ステップＳ２１９）。
図１２中のステップＳ２２０は、図１０中のステップＳ６１に相当する処理であり、判定部４０４は、通信部４０１を介して、ＯＦＦと設定されたフラグ初期値を含む相手検出通知を、位置登録サーバ３に送信する（ステップＳ２２０）。
【００６６】
位置登録サーバ３の制御部３０２は、受信した相手検出通知中の端末ＩＤに対応する基地局ＩＤを記憶部３０３から読み出して、当該基地局ＩＤに対応する基地局に対し、通信部３０１を介して当該相手検出通知を送信し（ステップＳ２２１）、当該相手検出通知を受信した基地局は、受信した相手検出通知に含まれる端末ＩＤで識別される携帯電話機に対し、当該相手検出通知を送信する（ステップＳ２２２）。
【００６７】
前記端末ＩＤで識別される携帯電話機２２の制御部１１３は、無線部１０２を介して前記相手検出通知を受信し、受信した相手検出通知を相手通知検出部１０９に送信し、相手通知検出部１０９は、図１１を用いて既に説明した報知処理を行う（ステップＳ２２３）。
＜変形例＞
なお、本発明を上記の実施の形態に基づいて説明してきたが、本発明は、上記の実施の形態に限定されるものではなく、本発明の要旨を逸脱しない範囲内において種々変更を加え得ることは勿論である。以下のような場合も本発明に含まれる。
（１）上記実施形態において、待ち合わせ制御サーバ２に登録しておく待ち合わせ条件エントリは、端末ＩＤと、自年齢情報と、自趣味情報と、相手年齢情報と、相手趣味情報と、基地局ＩＤとから構成していたが、待ち合わせの条件は、上記に限らない。
【００６８】
また、携帯電話機２１の利用者が、希望時刻に、既知の端末ＩＤで示される携帯電話機２２の利用者と待ち合わせをする場合であれば、待ち合わせ制御サーバ２に、携帯電話機２１の端末ＩＤと、携帯電話機２２の端末ＩＤと、前記希望時刻とから構成される待ち合わせ条件エントリを、記憶させておけばよい。
待ち合わせ制御サーバ２は、前記希望時刻を含む所定範囲（例えば、当該希望時刻の１０分前から当該希望時刻の１０分後までの間）に、位置登録サーバ３から、携帯電話機２１と携帯電話機２２とが同じ基地局が管理するエリアに入った旨の通知を受けた場合に、携帯電話機２１と携帯電話機２２との双方に、相手検出通知を送信する。
【００６９】
携帯電話機２１と携帯電話機２２とのそれぞれが、相手検出通知を受け取り、携帯電話機２１及び２２以外の携帯電話機とは区別できる方法で報知すれば、携帯電話機２１の利用者が、携帯電話機２２の利用者と面識はがないが、携帯電話機２２の端末ＩＤ（電話番号）を知っているという場合であっても、希望の時刻に、お互いに出会うことができる。
（２）上記実施形態においては、携帯電話機２１及び携帯電話機２２の双方、音声による報知をすることとしていたが、これには限らない。
【００７０】
例えば、待ち合わせ条件の登録を行った利用者の携帯電話機２１のみ、バイブレータ等、携帯電話機２２の利用者に分からない方法で報知してもよい。
これにより、携帯電話機２１の利用者は、待ち合わせをして携帯電話機２２の利用者を確認したものの、携帯電話機２２の利用者と会うのをやめるといったことも可能となる。
バイブレータによる報知を行っている間に、携帯電話機２１の利用者が、携帯電話機２１に対し報知指示を入力した場合に、バイブレータによる報知を音声による報知に切り替えることとすれば、携帯電話機２１の利用者は、待ち合わせ相手である携帯電話機２２の利用者を確認してから、会うことができる。
（３）待ち合わせ制御サーバ２は、携帯電話機２１と携帯電話機２２との双方に、相手検出通知を送信する代わりに、携帯電話機２１に対してのみ相手検出通知を送信してもよい。
【００７１】
これにより、携帯電話機２１の利用者のみが、携帯電話機２１及び２２が近接していることを知ることができる。
加えて、携帯電話機２１のみに相手検出通知が行われた後に、携帯電話機２１の利用者が携帯電話機２１に対し報知指示を入力した場合に、携帯電話機２１が携帯電話機２２に対し、相手検出通知を送信するか又は携帯電話機２１が待ち合わせ制御サーバ２に当該報知指示が入力された旨を通知し、前記通知を受けて、待ち合わせ制御サーバ２が、携帯電話機２２に対し、相手検出通知を送信することとしてもよい。
【００７２】
これにより、携帯電話機２１の利用者が、携帯電話機２２の利用者に知られることなく、携帯電話機２１及び２２が近接していることを知り、その後、携帯電話機２２の利用者も、当該近接について認識することができる。
（４）上記実施形態において、携帯電話機の音による報知は、所定の時間間隔で、音の発声と停止とを切り替えると説明してきたが、報知を行う音が、フレーズを有する楽曲などである場合、所定の時間間隔ではなく、フレーズ毎に切り替える構成としてもよい。
【００７３】
報知を行う音が、例えば、フレーズ１〜４までのフレーズで構成されている場合、フレーズ１を携帯電話機２１が発声し、フレーズ２を携帯電話機２２が発声し、フレーズ３を携帯電話機２１が発声し、フレーズ４を携帯電話機２２が発声することとなる。
この場合、所定時間の計測を行う構成に代えて、曲のフレーズの変化を検出する構成を備え、当該変化を検出する毎に報知のＯＮ／ＯＦＦを切り替えればよい。
（５）上記実施形態において、携帯電話機における報知は、相手検出通知を受信してから所定時間後に開始することとしていたが、これに限らず、相手検出通知を受信した時刻以後の区切りのよい時刻に開始することしてもよい。
【００７４】
例えば、区切りの単位を１分とする場合であれば、携帯電話機が相手検出通知を１０時３０分２０秒に受信すると、当該携帯電話機は、１０時３１分に報知を開始する。
これにより、複数の携帯電話機による報知のタイミングを、より正確に同期させることができる。
（６）上記実施形態において、待ち合わせ相手が１人である場合を例として説明してきたが、待ち合わせ相手が複数人の場合であってもよい。
（７）本発明は、上記に示す方法であるとしてもよい。また、これらの方法をコンピュータにより実現するコンピュータプログラムであるとしてもよいし、前記コンピュータプログラムからなるデジタル信号であるとしてもよい。
【００７５】
また、本発明は、前記コンピュータプログラム又は前記デジタル信号をコンピュータ読み取り可能な記録媒体、例えば、フレキシブルディスク、ハードディスク、ＣＤ−ＲＯＭ（Ｃｏｍｐａｃｔ Ｄｉｓｃ  Ｒｅａｄ  Ｏｎｌｙ  Ｍｅｍｏｒｙ）、ＭＯ（Ｍａｇｎｅｔｏ  Ｏｐｔｉｃ ｄｉｓｃ）、ＤＶＤ（Ｄｉｇｉｔａｌ Ｖｅｒｓａｔｉｌｅ Ｄｉｓｃ）、ＤＶＤ−ＲＯＭ（Ｄｉｇｉｔａｌ Ｖｅｒｓａｔｉｌｅ Ｄｉｓｃ  Ｒｅａｄ  Ｏｎｌｙ  Ｍｅｍｏｒｙ）、ＤＶＤ−ＲＡＭ（Ｄｉｇｉｔａｌ Ｖｅｒｓａｔｉｌｅ Ｄｉｓｃ  Ｒａｎｄｏｍ Ａｃｃｅｓｓ Ｍｅｍｏｒｙ）、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
【００７６】
また、本発明は、前記コンピュータプログラム又は前記デジタル信号を、電気通信回線、無線又は有線通信回線、インターネットを代表とするネットワーク等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【００７７】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（８）上記実施の形態及び上記変形例をそれぞれ組み合わせるとしてもよい。 
【産業上の利用可能性】
【００７８】
本発明の携帯電話機は、電気機器の製造業者により製造及び販売され、また、当該携帯電話機による待ち合わせサービスを提供するシステムにおいて使用される。 
【図面の簡単な説明】
【００７９】
【図１】本発明の一実施形態における近接報知システムの構成を示す図である。
【図２】携帯電話機の構成を示すブロック図である。
【図３】メニュー画面の構成例を示す図である。
【図４】携帯電話機の記憶部に記憶されるデータの一例を示す図である。
【図５】基地局の構成を示すブロック図である。
【図６】位置登録サーバの構成を示すブロック図である。
【図７】接続基地局テーブルの一例を示す図である。
【図８】待ち合わせ制御サーバの構成を示すブロック図である。
【図９】待ち合わせ条件テーブルの一例を示す図である。
【図１０】判定部における判定処理手順を示すフローチャートである。
【図１１】報知制御を示すフローチャートである。
【図１２】近接報知システムの全体動作を説明するフローチャートである。
【符号の説明】
【００８０】
１    近接報知システム
２    待ち合わせ制御サーバ
３    位置登録サーバ
４    ネットワーク
１１    基地局
１２    基地局
２１    携帯電話機
２２    携帯電話機
２３    携帯電話機
１０１    アンテナ
１０２    無線部
１０３    ベースバンド部
１０４    音声処理部
１０５    マイクロフォン
１０６    スピーカ
１０７    操作部
１０８    記憶部
１０９    相手通知検出部
１１０    相手報知生成部
１１１    表示処理部
１１２    表示部
１１３    制御部
２０１    アンテナ
２０２    通信部
２０２    無線部
２０３    制御部
２０４    記憶部
２０５    通信部
２１１    基地局ＩＤ
３０１    通信部
３０２    制御部
３０３    記憶部
４０１    通信部
４０２    制御部
４０３    記憶部
４０４    判定部
【図１】
0004800736.tif 000002
【図２】
0004800736.tif 000003
【図３】
0004800736.tif 000004
【図４】
0004800736.tif 000005
【図５】
0004800736.tif 000006
【図６】
0004800736.tif 000007
【図７】
0004800736.tif 000008
【図８】
0004800736.tif 000009
【図９】
0004800736.tif 000010
【図１０】
0004800736.tif 000011
【図１１】
0004800736.tif 000012
【図１２】
0004800736.tif 000013